(57)【要約】【課題】無駄のない再送要求を行うことができる移動機の制御方法、移動機、基地局の制御方法、及び基地局を提供する。【解決手段】自機を識別するために割り当てられた移動機識別子（ＭＡＣ−ＩＤ）を基地局１０から受信し、移動機識別子を保持したまま、移動機１７を省電力にする半接続状態（Semi Connected State）への遷移を許可する情報（Semi Connected Permit MAC-ID List）を基地局１０から受信し、自機を半接続状態への遷移させると判定した場合に、受信した半接続状態への遷移を許可する情報と、自機に割り当てられた移動機識別子に基づいて、自機を半接続状態へ遷移するための要求（Semi Connected Start Request）を基地局１０に送信する。【選択図】図５
2008252324.tif 000002
【特許請求の範囲】
【請求項１】
自機を識別するために割り当てられた移動機識別子を基地局から受信し、
移動機識別子を保持したまま、移動機を省電力にする半接続状態への遷移を許可する情報を前記基地局から受信し、
自機を前記半接続状態への遷移させると判定した場合に、前記受信した半接続状態への遷移を許可する情報と、前記自機に割り当てられた移動機識別子に基づいて、自機を前記半接続状態へ遷移するための要求を前記基地局に送信することを特徴とする移動機の制御方法。
【請求項２】
前記受信した半接続状態への遷移を許可する情報に、前記自機に割り当てられた移動機識別子が含まれている場合に、自機を前記半接続状態へ遷移するための要求を送信するように制御することを特徴とする請求項１に記載の移動機の制御方法。
【請求項３】
前記受信した半接続状態への遷移を許可する情報に、前記自機に割り当てられた移動機識別子が含まれていない場合に、自機を前記半接続状態へ遷移するための要求を送信しないように制御することを特徴とする請求項１に記載の移動機の制御方法。
【請求項４】
自機を識別するために割り当てられた移動機識別子と、移動機識別子を保持したまま、移動機を省電力にする半接続状態への遷移を許可する情報と、を基地局から受信する受信手段と、
自機を前記半接続状態へ遷移させると判定した場合に、前記受信手段により受信した半接続状態への遷移を許可する情報と、前記自機に割り当てられた移動機識別子に基づいて、自機を前記半接続状態へ遷移するための要求を前記基地局に送信する送信手段と、
を備えたことを特徴とする移動機。
【請求項５】
前記受信手段は、
アクセスパラメータメッセージを受信する機能を有することを特徴とする請求項４に記載の移動機。
【請求項６】
自局が制御する移動機を識別するための移動機識別子を自局の移動機に割り当て、
移動機が移動機識別子を保持したまま、該移動機が省電力になる半接続状態への遷移を許可する情報を生成し、
前記生成した前記半接続状態への遷移を許可する情報を前記移動機に送信することを特徴とする基地局の制御方法。
【請求項７】
自局が制御する移動機を識別するための移動機識別子を自局の移動機に割り当てる割当手段と、
移動機が移動機識別子を保持したまま、該移動機が省電力になる半接続状態への遷移を許可する情報を生成する生成手段と、
前記生成手段が生成した前記半接続状態への遷移を許可する情報を前記移動機に送信する送信手段と、を備えたことを特徴とする基地局。
【発明の詳細な説明】
【技術分野】
【０００１】
この発明は、ＣＤＭＡ２０００ Evolution（Ultra Mobile Broadband：ＵＭＢ）に採用される半接続状態（Semi Connected State）に関連する、携帯無線通信における移動機の制御方法、移動機、基地局の制御方法及び基地局に関する。
【背景技術】
【０００２】
直交周波数分割多元接続（Orthogonal Frequency Division Multiple Access：ＯＦＤＭＡ）等のテクノロジーを使って高度化されたＣＤＭＡ２０００シリーズの上位レイヤに実装される機能である、半接続動作（Semi Connected Operation）が知られている。
この半接続動作においては、省電力を目的として、ミディアムアクセス制御識別子（Medium Access Control Identifier：ＭＡＣ-ＩＤ）をアサインされるが、上り回線（Reverse Link：ＲＬ）を送信しない、且つ、下り回線（Forward Link：ＦＬ）のアサインされた部分の受信を続ける半接続状態（Semi Connected State）を設ける。半接続状態を設けることにより、半接続状態から通信状態（Open State）へと遷移することができるので、待受状態（Idle State）から通信状態へと遷移する場合より速くなった。
【０００３】
この半接続状態は、ＣＤＭＡ２０００  Air Interface Evolution（Loosely Backwards Compatible：ＬＢＣ）において採用されたものであり（非特許文献１参照）、ＰＴＴ（Push To Talk）の受信時に用いると有効である。例えば、セルラーシステム上でのＰＴＴにおいては２以上の端末（移動機、Access Terminal：ＡＴ）がグループとして扱われ、同時に、待機（待受状態）乃至受信状態にある。
つまり、２つ以上の端末をグループ化し、送話している端末以外は受信状態にすることで、ディスパッチ業務グループコール等の目的に用いる。この動作スタイルでは、端末は殆どの時間を受信のみで対応する。即ち、上りの送信を最小限に抑えることが消費電力の低減に貢献する。
【０００４】
ＰＴＴグループ内のある端末が送話を行うとき、グループ内の他の端末は受信を行う。待機状態から通話状態への移行は、アクセスステートを経る必要があるため、時間がかかる。従って、通話の頭の部分が途切れてしまう弊害があった。
端末は、下り回線のモニタは継続し、長い時間間隔で周期的に、基地局に対し受信状態のレポートを送る。基地局では、タイマーを張っていて周期的に端末からのレポートを監視しており、周期的なレポートが無くタイマーが満了（Expire）したら、半接続状態はクリアされる。
【０００５】
半接続状態（Semi Connected State）とは、移動機が以下の動作をする。
（１）省電力状態
（２）上り送信（リバースコントロールチャネルの送信）はしない
（３）ＭＡＣ-ＩＤを保持する
（４）定期的に上り又は下り回線の割り当て情報（F-SCCH：Forward Shared Control Channel）をモニターする
また、半接続状態は、上り送信を行うために、Access Attemptを行うと解除される。つまり、通信状態へ遷移すると解除される。
【０００６】
また、移動端末機の電力消費を低減する技術については特許文献１が開示している。
【特許文献１】特表２００３−５１７７４１号公報
【非特許文献１】3GPP2  TSG-CC21-20061030-009R2-Qualcomm＿Semi Connected＿Mode.pdf
【発明の開示】
【発明が解決しようとする課題】
【０００７】
しかしながら、半接続状態では、端末が、エアインターフェース上の各セクタ毎に割り当てられる５〜８ｂｉｔの値であるＭＡＣ-ＩＤをアサインされたまま、受信オンリーの状態になるため、ＭＡＣ-ＩＤが不足する事態が想定される。つまり、ＭＡＣ-ＩＤをアサインされたまま、端末が圏外へ移動すると、そのＭＡＣ-ＩＤが一定期間使用できないことになる。特に、電車や自動車が地下やトンネルに入る等、端末が一斉に圏外へ移動してしまう場合等では、特定のセクタでＭＡＣ-ＩＤが不足してしまう。
【０００８】
そのため、基地局では、端末からの要求に対して拒否するメッセージを実装する。このＭＡＣ-ＩＤの不足以外にも、基地局がサポートしていない、ネットワークが対応していない、通信チャネル（トラフィックチャネル）が多くエリア内の移動機に割り当てられていて半接続状態へ遷移させることができない等の場合も、同様に拒否していた。これに対し、端末は、拒否理由が基地局から通知されないので、再度、半接続状態を要求するため、無駄な要求を行っていた。
この発明の目的は、無駄のない再送要求を行うことができる移動機の制御方法、移動機、基地局の制御方法及び基地局を提供することである。
【課題を解決するための手段】
【０００９】
上記目的を達成するため、この発明に係る移動機の制御方法は、自機を識別するために割り当てられた移動機識別子（ＭＡＣ−ＩＤ）を基地局から受信し、移動機識別子を保持したまま、移動機を省電力にする半接続状態への遷移を許可する情報を前記基地局から受信し、自機を前記半接続状態への遷移させると判定した場合に、前記受信した半接続状態への遷移を許可する情報と、前記自機に割り当てられた移動機識別子に基づいて、自機を前記半接続状態へ遷移するための要求を前記基地局に送信することを特徴としている。
また、この発明において、受信した半接続状態への遷移を許可する情報に、前記自機に割り当てられた移動機識別子が含まれている場合に、自機を前記半接続状態へ遷移するための要求を送信するように制御することが好ましい。
【００１０】
また、この発明において、前記受信した半接続状態への遷移を許可する情報に、前記自機に割り当てられた移動機識別子が含まれていない場合に、自機を前記半接続状態へ遷移するための要求を送信しないように制御することが好ましい。
この発明に係る移動機は、自機を識別するために割り当てられた移動機識別子と、移動機識別子を保持したまま、移動機を省電力にする半接続状態への遷移を許可する情報と、を基地局から受信する受信手段と、自機を前記半接続状態へ遷移させると判定した場合に、前記受信手段により受信した半接続状態への遷移を許可する情報と、前記自機に割り当てられた移動機識別子に基づいて、自機を前記半接続状態へ遷移するための要求を前記基地局に送信する送信手段と、を備えたことを特徴としている。
また、この発明において、前記受信手段は、アクセスパラメータメッセージを受信する機能を有することが好ましい。
また、この発明に係る基地局の制御方法は、自局が制御する移動機を識別するための移動機識別子を自局の移動機に割り当て、移動機が移動機識別子を保持したまま、該移動機が省電力になる半接続状態への遷移を許可する情報を生成し、前記生成した前記半接続状態への遷移を許可する情報を前記移動機に送信することを特徴としている。
また、この発明に係る基地局は、自局が制御する移動機を識別するための移動機識別子を自局の移動機に割り当てる割当手段と、移動機が移動機識別子を保持したまま、該移動機が省電力になる半接続状態への遷移を許可する情報を生成する生成手段と、前記生成手段が生成した前記半接続状態への遷移を許可する情報を前記移動機に送信する送信手段と、を備えたことを特徴としている。
【発明の効果】
【００１１】
この発明によれば、半接続状態（Semi Connected State）への遷移可能な移動機を識別することができる。さらに、移動機は、半接続状態（Semi Connected State）への遷移要求（Semi Connected start）の送信が最適化され、無駄のない要求を行うことができるため、上りの送信リソースを節約することができる。
【発明を実施するための最良の形態】
【００１２】
以下、この発明を実施するための最良の形態について図面を参照して説明する。
図１は、この発明の一実施の形態に係る基地局の構成を示すブロック図である。図１に示すように、基地局１０は、アンテナ１１ａを介して、例えば、携帯電話機等の通信端末装置である、後述する移動機１７（図２参照）との間で信号の送受信を行うＲＦ送受信部１１、ＲＦ送受信部１１に接続された送信回路部１２及び受信回路部１３、基地局１０内で処理されるデータを格納する記憶部１４、及び送信回路部１２、受信回路部１３、記憶部１４とバス１５を介して接続され、基地局１０内の動作を制御する制御部１６を有している。
尚、本実施例では、「基地局」として説明しているが、「セクタ」も含むものである。
【００１３】
制御部１６は、必要に応じて上記各構成部と協働して、基地局またはセクタの収容量に基づいて、基地局１０の状態を判定して、移動機１７に対して、半接続状態（Semi Connected State）への遷移を許可する情報（Semi Connected Permit MAC-ID List）を送信する送信手段として機能する。
制御部１６は、必要に応じて上記各構成部と協働して、基地局１０が移動機１７を識別するために割り当てた移動機識別子（ＭＡＣ-ＩＤ）を移動機１７が保持したまま、移動機１７が省電力（power saving state）になる半接続状態（Semi Connected State）への遷移要求（Semi Connected start Request）を移動機１７から受信する受信手段として機能し、この遷移要求に応じて基地局１０の状態を判定し、基地局１０の状態判定の結果、半接続状態への遷移要求に対して許可できない場合、許可できない理由（Reject Reason）を付した遷移要求に対する応答（Semi Connected start Reject）を移動機１７に送信する送信手段として機能する。
【００１４】
基地局１０は、移動機１７を半接続状態へ遷移させる機能を基地局１０がサポートしているか否かにより、基地局１０の状態を判定し、また、基地局１０またはセクタの収容量に基づいて、基地局１０またはセクタの状態を判定する。送信手段は、移動機１７を半接続状態へ遷移させる機能を基地局１０またはセクタがサポートしていない場合、基地局１０またはセクタがサポートしていないことを遷移要求に対する応答に付して移動機１７へ送信し、基地局１０またはセクタの収容量が所定値を超えている場合、基地局１０またはセクタが収容量を超えていることを遷移要求に対する応答に付して移動機１７へ送信する。
【００１５】
この基地局１０またはセクタの収容量とは、基地局１０又はセクタが移動機１７を識別するために割り当てた移動機識別子の使用数または残数に基づくものであり、また、基地局１０またはセクタが移動機１７に割り当てている通信チャネルの数または残数に基づくものである。
図２は、この発明の一実施の形態に係る移動機の構成を示すブロック図である。図２に示すように、移動機１７は、アンテナ１８ａを介して基地局１０（図１参照）との間で信号の送受信を行うＲＦ送受信部１８、ＲＦ送受信部１８に接続された、送信系ＲＦ回路部１９及び受信系ＲＦ回路部２０、送信系ＲＦ回路部１９に接続された送信変調部２１、受信系ＲＦ回路部２０に接続された受信復調部２２、送信変調部２１及び受信復調部２２が接続された制御部２３、制御部２３に接続された記憶部２４を有している。
【００１６】
制御部２３は、送信変調部２１及び受信復調部２２が接続されたベースバンド信号処理部２５、ベースバンド信号処理部２５に接続されたプロトコル制御部２６、プロトコル制御部２６に接続されたマンマシンインターフェース制御部２７を有している。
このマンマシンインターフェース制御部２７には、ＬＣＤ（Liquid Crystal Display）等の表示部２８、情報入力用のキーボード等の入力装置２９、スピーカ３０ａ，３０ｂ、及びマイク３１が接続されている。
【００１７】
制御部２３は、必要に応じて上記各構成部と協働して、移動機識別子（ＭＡＣ-ＩＤ）を保持したまま、移動機を省電力（power saving state）にする半接続状態（Semi Connected State）への遷移を許可する情報（Semi Connected Permit MAC-ID List）を基地局から受信する受信手段として機能する。
また、自機を半接続状態（Semi Connected State）へ遷移させると判定した場合に、受信した半接続状態（Semi Connected State）への遷移を許可する情報（Semi Connected Permit MAC-ID List）と、自機に割り当てられた移動機識別子（ＭＡＣ-ＩＤ）に基づいて、自機を半接続状態（Semi Connected State）へ遷移するための要求（Semi Connected Start）を基地局に送信する送信手段として機能する。
制御部２３は、必要に応じて上記各構成部と協働して、移動機１７を識別するために基地局１０から割り当てられた移動機識別子を保持したまま、移動機１７を省電力にする半接続状態への遷移要求を基地局１０に送信する送信手段として機能し、この遷移要求に対する応答を基地局１０から受信する受信手段として機能し、受信した応答が半接続状態への遷移要求に対して許可できない旨を示している場合、応答に付されている許可できない理由に基づいて、遷移要求を再送制御する制御手段として機能する。
【００１８】
また、半接続状態（Semi Connected State）とは、移動機１７が以下の動作をする。
（１）省電力状態
（２）上り送信（リバースコントロールチャネルの送信）はしない
（３）ＭＡＣ-ＩＤを保持する
（４）定期的に上り又は下り回線の割り当て情報（F-SCCH：Forward Shared Control Channel）をモニターする
また、半接続状態は、上り送信を行うために、Access Attemptを行うと解除される。つまり、通信状態へ遷移すると解除される。
【００１９】
この制御手段は、応答に付されている許可できない理由が、移動機１７を半接続状態へ遷移させる機能を基地局１０またはセクタがサポートしていない旨を示している場合、遷移要求の再送を行わず、他の基地局またはセクタへハンドオフした場合に、新たに遷移要求を他の基地局またはセクタに対して送信制御し、応答に付されている許可できない理由が、基地局１０またはセクタの収容量が所定値を超えている旨を示している場合、所定時間経過後に、遷移要求を基地局１０へ再送制御する。
また、基地局１０又はセクタの収容量とは、基地局１０又はセクタが移動機１７を識別するために割り当てた移動機識別子の使用数または残数に基づくものであり、または、基地局１０又はセクタが移動機１７に割り当てている通信チャネルの数または残数に基づくものである。
【００２０】
ここで、特定のセクタでＭＡＣ-ＩＤが不足してしまうことへの対応として、半接続（Semi Connected）モードになる端末（移動機１７）の数の制限を実施する。
半接続（Semi Connected）モードになる端末の数の制限を実施するために、半接続状態（Semi Connected State）に入れる端末の移動機識別子（ＭＡＣ-ＩＤ）を制限する。
先ず、“アクセスパラメータ（Access Parameter）”メッセージの拡張を行なう。これにより、半接続状態（Semi Connected State）に入れる移動機識別子（ＭＡＣ-ＩＤ）のリストを予め報知する。
【００２１】
端末は、“アクセスパラメータ（Access Parameter）”メッセージの内容を使って待受状態（Idle State）に入る。端末は、待受状態（Idle State）から通信状態（Open State）になる際に移動機識別子（ＭＡＣ-ＩＤ）をアサインされ、通信状態（Open State）から、自局の移動機識別子（ＭＡＣ-ＩＤ）が半接続状態（Semi Connected State）許可リストに入っている場合は、半接続状態への遷移要求（Semi Connected Start）メッセージを送信する。
つまり、基地局は、半接続状態（Semi Connected State）に入る端末の数を自ずから制限することができ、端末は、自らの移動機識別子（ＭＡＣ-ＩＤ）と半接続状態（Semi Connected State）許可リストを比較することにより、半接続状態（Semi Connected State）に入ることを拒否されるかどうかを、予め知ることができる。従って、基地局は、半接続状態（Semi Connected State）に入る基地局／１セクター当たりの端末の数を制限することができる。
【００２２】
次に、基地局１０の制御方法及び移動機１７の制御方法について説明する。
図３は、基地局の制御処理の流れを示すフローチャートである。図３に示すように、先ず、基地局１０が、移動機１７から、移動機１７が省電力になる半接続状態への遷移要求を受信する（Ｓ１０１）。このとき、移動機１７は、基地局１０が移動機１７を識別するために割り当てた移動機識別子（ＭＡＣ-ＩＤ）を保持したままである。
次に、遷移要求に応じて許可できるか基地局１０またはセクタの状態を判定する（ステップＳ１０２）。この際、基地局１０またはセクタは、移動機１７を半接続状態へ遷移させる機能を基地局１０またはセクタがサポートしているか否かにより、基地局１０またはセクタの状態を判定する。また、基地局またはセクタの現在の収容状況に基づいて基地局１０またはセクタの状態を判定する。
【００２３】
状態判定の結果、半接続状態への遷移要求に対して許可できる（ＹＥＳ）場合、移動機１７を半接続状態へ遷移させて（Ｓ１０３）、その後、処理を終了する。一方、半接続状態への遷移要求に対して許可できない（ＮＯ）場合、許可できない理由を付した遷移要求に対する応答を移動機１７へ送信し（Ｓ１０４）、その後、処理を終了する。
つまり、基地局１０は、移動機１７を半接続状態へ遷移させる機能を基地局１０またはセクタがサポートしていない場合、基地局１０またはセクタがサポートしていないことを遷移要求に対する応答に付して送信する。また、基地局１０またはセクタは、基地局１０またはセクタの収容量に基づいて状態を判定し、基地局１０またはセクタの収容量が所定値を超えている場合、基地局１０またはセクタが収容量を超えていることを遷移要求に対する応答に付して送信する。
【００２４】
図４は、移動機の制御処理の流れを示すフローチャートである。図４に示すように、先ず、移動機１７を省電力にする半接続状態への遷移要求を基地局１０に送信する（Ｓ２０１）。移動機１７は、移動機１７を識別するために基地局１０から割り当てられた移動機識別子（ＭＡＣ-ＩＤ）を保持したままである。
次に、遷移要求に対する応答を基地局１０から受信する（Ｓ２０２）。そして、受信した応答が半接続状態への遷移要求に対して許可できる旨を示しているか判定し（Ｓ２０３）、許可できる（ＹＥＳ）旨を示している場合、半接続状態への遷移を許可し半接続状態へ遷移した後（Ｓ２０４）、処理を終了する。
【００２５】
一方、許可できない（ＮＯ）旨を示している場合、応答に付されている許可できない理由に基づいて、遷移要求を再送するが、このとき、応答に付されている許可できない理由を判定し（Ｓ２０５）、応答に付されている許可できない理由が、移動機１７を半接続状態へ遷移させる機能を基地局１０またはセクタがサポートしていない旨を示している場合、遷移要求の再送を行わず、他の基地局またはセクタへハンドオフするのを待ってハンドオフした場合に、新たに遷移要求をハンドオフした他の基地局またはセクタへ送信する（Ｓ２０６）。また、応答に付されている許可できない理由が、基地局１０またはセクタの収容量が所定値を超えている旨を示している場合、所定時間経過後に、遷移要求を再送する（Ｓ２０７）。
【００２６】
図５は、基地局と端末の間におけるメッセージのやり取りを示すシーケンス図である。図５に示すように、基地局１０と端末（移動機１７）は通信状態（Open State）にあって、基地局１０から移動機１７へ、半接続状態（Semi Connected State）への遷移を許可する情報（Semi Connected Permit MAC-ID List）を送信する。即ち、報知メッセージのフィールドに、半接続状態（Semi Connected State）への遷移を許可する情報（Semi Connected Permit MAC-ID List）を報知する。
【００２７】
半接続状態（Semi Connected State）への遷移を許可する情報（Semi Connected Permit MAC-ID List）を受け取った移動機１７は、半接続状態（Semi Connected State）へ遷移したい場合、半接続状態（Semi Connected State）への遷移を許可する情報（Semi Connected Permit MAC-ID List）と自端末（移動機１７）の移動機識別子（ＭＡＣ-ＩＤ）を比較し、リスト中に、移動機識別子（ＭＡＣ-ＩＤ）が存在した場合、以下の動作を実施する。
半接続状態への遷移要求（Semi Connected Start）を基地局１０へ送信する。この要求を受け取った基地局１０は、確認応答（Semi Connected Start Ack）を移動機１７へ送信する。確認応答を受け取った移動機１７は、半接続状態（Semi Connected State）に遷移する。
【００２８】
その後、半接続状態を終了する場合、移動機１７が半接続状態終了（Semi Connected End）を基地局１０へ送信する。半接続状態終了を受け取った基地局１０は、確認応答を移動機１７へ送信する。
図６は、図５の半接続許可移動機識別子リストの例を示す説明図である。図６において、半接続状態（Semi Connected State）への遷移を許可する情報（Semi Connected Permit MAC-ID List）は、セクターパラメータメッセージ中において送信される。
Semi Connected Permit MACID List Includedは、Semi Connected Permit MACID Listが含まれる場合は１、そうでない場合は０になる。Semi Connected Permit MACID Num；Nscpmnは、SemiConnectedPermintMACIDListに含まれる移動機識別子（ＭＡＣ-ＩＤ）の数であり、SemiConnectedPermintMACIDは、SemiConnected状態に入ることが許可されるＭＡＣ-ＩＤフィールド長である。
【００２９】
図７は、移動機による動作の流れの一例を示すフローチャートである。図７に示すように、移動機１７が、アクセスパラメータ（Access Parameter）を受信する（Ｓ３０１）と、受信したアクセスパラメータに半接続許可移動機識別子リスト（Semi Connected Permit MAC-ID List）があるか否かを判定する（Ｓ３０２）。判定の結果、リストがある（ＹＥＳ）場合、半接続状態（Semi Connected State）への遷移を許可する情報（Semi Connected Permit MAC-ID List）を記憶部２４に記憶する（Ｓ３０３）。一方、リストがない（ＮＯ）場合、処理を終了する。半接続状態（Semi Connected State）への遷移を許可する情報（Semi Connected Permit MAC-ID List）を記憶した後、通信状態になったか否かを判定する（Ｓ３０４）。
【００３０】
ここまで、移動機１７は待受状態（Idle State）にあり、以後、通信状態（Open State）になる。
Ｓ３０４における判定の結果、通信状態になった（ＹＥＳ）場合、半接続状態（Semi Connected State）への遷移を許可する情報（Semi Connected Permit MAC-ID List）と自端末の移動機識別子（ＭＡＣ-ＩＤ）を比較する（Ｓ３０５）。一方、通信状態になっていない（ＮＯ）場合、判定を繰り返す。
【００３１】
次に、半接続状態（Semi Connected State）への遷移を許可する情報（Semi Connected Permit MAC-ID List）と自端末の移動機識別子（ＭＡＣ-ＩＤ）を比較した結果が、一致するか否かを判定する（Ｓ３０６）。判定の結果、一致する（ＹＥＳ）場合、半接続状態許可（Semi Connected Permit）フラグ＝１とし（ステップＳ３０７）、一致しない（ＮＯ）場合、半接続状態許可（Semi Connected Permit）フラグ＝０とし（ステップＳ３０８）、その後、処理を終了する。
【００３２】
このように、移動機１７は、自機を識別するために割り当てられた移動機識別子（ＭＡＣ−ＩＤ）と、移動機識別子（ＭＡＣ−ＩＤ）を保持したまま、移動機１７を省電力（power saving state）にする半接続状態（Semi Connected State）への遷移を許可する情報（Semi Connected Permit MAC-ID List）と、を基地局１０から受信する受信手段（ＲＦ送受信部１８、受信系ＲＦ回路部２０、受信変調部２２）と、自機を半接続状態（Semi Connected State）へ遷移させると判定した場合に、受信手段により受信した半接続状態（Semi Connected State）への遷移を許可する情報（Semi Connected Permit MAC-ID List）と、自機に割り当てられた移動機識別子（ＭＡＣ−ＩＤ）に基づいて、自機を半接続状態（Semi Connected State）へ遷移するための要求（Semi Connected Start Request）を基地局１０に送信する送信手段（ＲＦ送受信部１８、送信系ＲＦ回路部１９、送信変調部２１）と、を備えている。この受信手段は、アクセスパラメータメッセージを受信する機能を有している。
【００３３】
上記構成を有する移動機１７は、自機を識別するために割り当てられた移動機識別子（ＭＡＣ−ＩＤ）を基地局１０から受信し、移動機識別子（ＭＡＣ−ＩＤ）を保持したまま、移動機１７を省電力（power saving state）にする半接続状態（Semi Connected State）への遷移を許可する情報（Semi Connected Permit MAC-ID List）を基地局１０から受信し、自機を半接続状態（Semi Connected State）へ遷移させると判定した場合に、受信した半接続状態（Semi Connected State）への遷移を許可する情報（Semi Connected Permit MAC-ID List）と、自機に割り当てられた移動機識別子（ＭＡＣ−ＩＤ）に基づいて、自機を半接続状態（Semi Connected State）へ遷移するための要求（Semi Connected Start Request）を基地局１０に送信する。
【００３４】
この受信した半接続状態（Semi Connected State）への遷移を許可する情報に、自機に割り当てられた移動機識別子（ＭＡＣ−ＩＤ）が含まれている場合、自機を半接続状態（Semi Connected State）へ遷移するための要求（Semi Connected Start Request）を送信するように制御し、自機に割り当てられた移動機識別子（ＭＡＣ−ＩＤ）が含まれていない場合、自機を半接続状態（Semi Connected State）へ遷移するための要求（Semi Connected Start Request）を送信しないように制御する。
【００３５】
また、基地局１０は、自局が制御する移動機を識別するための移動機識別子（ＭＡＣ-ＩＤ）を自局の移動機１７に割り当てる割当手段（制御部１６）と、移動機１７が移動機識別子（ＭＡＣ-ＩＤ）を保持したまま、移動機１７が省電力（power saving state）になる半接続状態（Semi Connected State）への遷移を許可する情報（Semi Connected Permit MAC-ID List）を生成する生成手段（制御部１６）と、生成手段が生成した半接続状態（Semi Connected State）への遷移を許可する情報（Semi Connected Permit MAC-ID List）を移動機１７に送信する送信手段（ＲＦ送受信部１１、送信回路部１２）と、を備えている。
【００３６】
上記構成を有する基地局１０は、自局が制御する移動機１７を識別するための移動機識別子（ＭＡＣ-ＩＤ）を自局の移動機１７に割り当て、自局の収容状況や予め定められているＭＡＣ-ＩＤ等に基づいて、移動機１７が移動機識別子（ＭＡＣ-ＩＤ）を保持したまま、移動機１７が省電力（power saving state）になる半接続状態（Semi Connected State）への遷移を許可する情報（Semi Connected Permit MAC-ID List）を生成し、生成手段が生成した半接続状態（Semi Connected State）への遷移を許可する情報（Semi Connected Permit MAC-ID List）を移動機１７に送信する。
【００３７】
つまり、基地局／一つのセクタで半接続状態（Semi Connected State）に入ることができる端末の数を制限するために、半接続状態（Semi Connected State）に入ることが許可される移動機識別子（ＭＡＣ-ＩＤ）のリストを予め報知しておき、半接続状態（Semi Connected State）に入ることが許可される移動機識別子（ＭＡＣ-ＩＤ）をアサインされた端末のみ、半接続状態（Semi Connected State）へ遷移するための要求（Semi Connected Start Request）を送信する。
また、本実施例における半接続状態（Semi Connected State）への遷移を許可する情報（Semi Connected Permit MAC-ID List）を報知（送信）する処理と、半接続状態（Semi Connected State）への遷移を拒絶する理由を通知（送信）する処理は、両方用いても良いし、又はいずれか一方の処理のみを用いても良い。
なお、本発明は、上述した実施の形態により説明したが、この実施の形態に限定されるものではない。従って、本発明の趣旨を逸脱することなく変更態様として実施するものも含むものである。
【図面の簡単な説明】
【００３８】
【図１】この発明の一実施の形態に係る基地局の構成を示すブロック図である。
【図２】この発明の一実施の形態に係る移動機の構成を示すブロック図である。
【図３】基地局の制御処理の流れを示すフローチャートである。
【図４】移動機の制御処理の流れを示すフローチャートである。
【図５】基地局と移動機の間におけるメッセージのやり取りを示すシーケンス図である。
【図６】図５の半接続許可移動機識別子リストの例を示す説明図である。
【図７】移動機による動作の流れの一例を示すフローチャートである。
【符号の説明】
【００３９】
１０  基地局
１１ａ，１８ａ  アンテナ
１１，１８  ＲＦ送受信部
１２  送信回路部
１３  受信回路部
１４，２４  記憶部
１５  バス
１６，２３  制御部
１７  移動機
１９  送信系ＲＦ回路部
２０  受信系ＲＦ回路部
２１  送信変調部
２２  受信変調部
２５  ベースバンド信号処理部
２６  プロトコル制御部
２７  マンマシンインターフェース制御部
２８  表示部
２９  入力装置
３０ａ，３０ｂ  スピーカ
３１  マイク
【図１】
2008252324.tif 000003
【図２】
2008252324.tif 000004
【図３】
2008252324.tif 000005
【図４】
2008252324.tif 000006
【図５】
2008252324.tif 000007
【図６】
2008252324.tif 000008
【図７】
2008252324.tif 000009